(57)【要約】【課題】意匠性を向上させることができる車両表示装置用指針を提供する。【解決手段】車両表示装置用指針１は、指示方向Ｘに延在する不透過性または半透過性の指針本体２と、回転軸７１に装着される基部３１、及び、基部３１から延在して指針本体２を収容し、指針本体２の先端側へ光源６０からの光を導光して指針本体２を照明する照明カバー３２を有するカバー本体３と、を備える。この結果、車両表示装置用指針１は、指針本体２の材質、模様、形状等を照明カバー３２によって明確に照らし出すことで、斬新感や高級感を演出可能となり、意匠性を向上させることができる。【選択図】図２
2019190933.tif 000002
【特許請求の範囲】
【請求項１】
指示方向に延在する不透過性または半透過性の指針本体と、
回転軸に装着される基部、及び、前記基部から延在して前記指針本体を収容し、前記指針本体の先端側へ光源からの光を導光して前記指針本体を照明する照明カバーを有するカバー本体と、
を備えることを特徴とする車両表示装置用指針。
【請求項２】
前記基部を覆う遮光性の被覆部をさらに備え、
前記被覆部は、前記光源からの光を前記照明カバーに向けて反射する反射部を有する
請求項１に記載の車両表示装置用指針。
【請求項３】
前記基部に設けられ、光漏れを防ぐ遮光カバーをさらに備える
請求項１または２に記載の車両表示装置用指針。
【請求項４】
前記指針本体は、前記先端側に向かって細くなる円錐状に形成されている
請求項１から３のいずれか１項に記載の車両表示装置用指針。
【請求項５】
前記指針本体は、前記基部に近づくにしたがって細くなる傾斜部を有する
請求項４に記載の車両表示装置用指針。
【請求項６】
前記指針本体は、前記指示方向に沿って並べられた複数のセグメントを有する
請求項１から３のいずれか１項に記載の車両表示装置用指針。
【請求項７】
前記指針本体は、螺旋状に形成されている
請求項１から３のいずれか１項に記載の車両表示装置用指針。
【請求項８】
車両表示装置用指針と、
前記車両表示装置用指針を照明する光源と、
前記車両表示装置用指針を回転駆動させる回転軸を有するモータと、
を備え、
前記車両表示装置用指針は、
指示方向に延在する不透過性または半透過性の指針本体と、
前記回転軸に装着される基部、及び、前記基部から延在して前記指針本体を収容し、前記指針本体の先端側へ前記光源からの光を導光して前記指針本体を照明する照明カバーを有するカバー本体と、
を備えることを特徴とする車両表示装置。
【発明の詳細な説明】
【技術分野】
【０００１】
本発明は、車両表示装置用指針及び車両表示装置に関する。
【背景技術】
【０００２】
従来、発光する指針がある。特許文献１には、指針の照明構造の技術が開示されている。特許文献１において、指針の本体部は、外面のうちの裏面側及び側面側に、遮光処理が施された遮光部を有し、外面のうちの表面側に、入光部から入射して伝搬してきた照明光が該表面側から出射する発光部を有する。指針軸は、入光部を除く外面に、遮光処理が施された遮光部を有する。
【先行技術文献】
【特許文献】
【０００３】
【特許文献１】特許第５９３８１７４号公報
【発明の概要】
【発明が解決しようとする課題】
【０００４】
従来の指針は、指針を光の帯として表すものであり、指針の意匠性の向上については改良の余地がある。
【０００５】
本発明の目的は、意匠性を向上させることができる車両表示装置用指針及び車両表示装置を提供することである。
【課題を解決するための手段】
【０００６】
本発明の車両表示装置用指針は、指示方向に延在する不透過性または半透過性の指針本体と、回転軸に装着される基部、及び、前記基部から延在して前記指針本体を収容し、前記指針本体の先端側へ光源からの光を導光して前記指針本体を照明する照明カバーを有するカバー本体と、を備えることを特徴とする。
【０００７】
また、上記車両表示装置用指針では、前記基部を覆う遮光性の被覆部をさらに備え、前記被覆部は、前記光源からの光を前記照明カバーに向けて反射する反射部を有するものとすることができる。
【０００８】
また、上記車両表示装置用指針では、前記基部に設けられ、光漏れを防ぐ遮光カバーをさらに備えるものとすることができる。
【０００９】
また、上記車両表示装置用指針では、前記指針本体は、前記先端側に向かって細くなる円錐状に形成されているものとすることができる。
【００１０】
また、上記車両表示装置用指針では、前記指針本体は、前記基部に近づくにしたがって細くなる傾斜部を有するものとすることができる。
【００１１】
また、上記車両表示装置用指針では、前記指針本体は、前記指示方向に沿って並べられた複数のセグメントを有するものとすることができる。
【００１２】
また、上記車両表示装置用指針では、前記指針本体は、螺旋状に形成されているものとすることができる。
【００１３】
本発明の車両表示装置は、車両表示装置用指針と、前記車両表示装置用指針を照明する光源と、前記車両表示装置用指針を回転駆動させる回転軸を有するモータと、を備え、前記車両表示装置用指針は、指示方向に延在する不透過性または半透過性の指針本体と、前記回転軸に装着される基部、及び、前記基部から延在して前記指針本体を収容し、前記指針本体の先端側へ前記光源からの光を導光して前記指針本体を照明する照明カバーを有するカバー本体と、を備えることを特徴とする。
【発明の効果】
【００１４】
本発明に係る車両表示装置用指針は、指針本体をカバー本体の照明カバーに収容し、当該照明カバーによって指針本体を照明することができる。よって、車両表示装置用指針は、指針本体の材質、模様、形状等を照明カバーによって明確に照らし出すことで、斬新感や高級感を演出可能となり、意匠性を向上させることができる。
【図面の簡単な説明】
【００１５】
【図１】図１は、実施形態に係る車両表示装置の平面図である。
【図２】図２は、図１の車両表示装置におけるＩＩ−ＩＩ断面を示す断面図である。
【図３】図３は、図１の指針におけるＩＩＩ−ＩＩＩ断面を示す断面図である。
【図４】図４は、実施形態に係る車両表示装置の分解斜視図である。
【図５】図５は、実施形態に係る指針の側面を示す側面図である。
【図６】図６は、実施形態に係る指針の照明カバーの側面を示す側面図である。
【図７】図７は、実施形態に係る指針の照明カバーの前面を示す図である。
【図８】図８は、実施形態に係る指針の照明カバーの背面を示す図である。
【図９】図９は、実施形態に係る指針の被覆部の下方を示す斜視図である。
【図１０】図１０は、第１変形例に係る指針の斜視図である。
【図１１】図１１は、図１０の指針本体が装着されたカバー部材の背面を示す図である。
【図１２】図１２は、第２変形例に係る指針の斜視図である。
【発明を実施するための形態】
【００１６】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１７】
［実施形態］
図１から図９を参照して、実施形態について説明する。本実施形態は、車両表示装置用指針に関する。図１は、実施形態に係る車両表示装置の平面図である。図２は、図１の車両表示装置におけるＩＩ−ＩＩ断面を示す断面図である。図３は、図１の指針におけるＩＩＩ−ＩＩＩ断面を示す断面図である。図４は、実施形態に係る車両表示装置の分解斜視図である。図５は、実施形態に係る指針の側面を示す側面図である。図６は、実施形態に係る指針の照明カバーの側面を示す側面図である。図７は、実施形態に係る指針の照明カバーの前面を示す図である。図８は、実施形態に係る指針の照明カバーの背面を示す図である。図９は、実施形態に係る指針の被覆部の下方を示す斜視図である。
【００１８】
図１に示す車両表示装置１００は、車両に搭載され、車両に関する情報を表示する装置である。車両表示装置１００は、例えば、車両のダッシュボードに設けられたインストルメントパネルに配置される。本実施形態の車両表示装置１００は、車両の運転席と対応して配置されており、当該運転席に着座した運転者の前方に位置している。車両表示装置１００は、例えば、車両の速度計、エンジン回転計、燃料計、水温計、油圧計等に用いることができる。以下の説明では、車両表示装置１００は、速度計である場合の一例について説明する。
【００１９】
図１及び図２に示すように、車両表示装置１００は、指針１と、文字板１１と、光源６０と、モータ７０と、を有する。指針１は、車両表示装置用指針の一例である。
【００２０】
文字板１１は、車両の運転席と対向して配置された板状の部材である。文字板１１は、前面１１ａが運転席と対向している。以下の説明では、車両表示装置１００において、車両前後方向における運転席へ向う側を「前面側」と称し、運転席とは反対へ向う側を「背面側」と称する。
【００２１】
文字板１１は、例えば、透明生地のポリカーボネイト製シートである。文字板１１には、暗色系のインクによる遮光性の印刷が施されている。車両用表示装置１は、文字板１１に対して背面側から光を照射する文字板用光源を有している。文字板１１において、インクによる印刷がなされた領域は文字板用光源から照射される光を遮る。
【００２２】
文字板１１には、走行速度の指標としての目盛１１ｂ及び数字１１ｃが配置されている。文字板１１において、目盛１１ｂ及び数字１１ｃの領域では、印刷が中抜きされている。目盛１１ｂ及び数字１１ｃは、指針１の中心軸線Ｃ１を中心とする周方向に沿って複数配置されている。数字１１ｃは、目盛１１ｂに対応する走行速度を示す。指針１は、後述するモータ７０の回転軸７１の先端に装着され、当該回転軸７１と一体になって文字板１１の表面に沿って回動し、現在の走行速度に応じた目盛１１ｂを指し示す。
【００２３】
図１から図５に示すように、指針１は、指針本体２と、カバー本体３と、被覆部４と、遮光カバー５と、を有する。なお、図４では、文字板１１が省略されている。
【００２４】
指針本体２は、カバー本体３からの光によって照明される照明対象である。指針本体２は、指示方向Ｘに延在する。指示方向Ｘは、指針本体２が指示する方向である。指針本体２は、不透明性の合成樹脂によって形成されている。なお、指針本体２は、例えば、半透明性の合成樹脂によって形成されてもよい。指針本体２は、表面に照射された光を反射することで、運転者等に指針本体２の材料の質感、文様及び形状を視認させる。言い換えると、指針本体２は、自発光するのではなく、カバー本体３によって照明されるものである。本実施形態では、指針本体２は、白色の表面に有色の文様が施されている。文様は、例えば、同じ図柄の反復繰り返しによって構成された図形を含む。文様は、同じ図柄の反復繰り返しではない模様を含んでもよい。
【００２５】
図２及び図４に示すように、指針本体２は、指示部２１と、後端部２２と、を有する。指示部２１は、指針１の中心軸線Ｃ１から先端側２ｔに向かって細くなる円錐状に形成されている。言い換えると、指示部２１は、指針１の指示方向Ｘに向かって細くなる円錐状に形成されている。後端部２２は、指針１の中心軸線Ｃ１から後端側２ｂに向かって細くなる円錐状に形成されている。指示部２１の長さは、後端部２２の長さよりも長くなっている。
【００２６】
なお、本実施形態では、指針本体２は、指示部２１及び後端部２２を有する場合について説明するが、これに限定されない。例えば、指針本体２は、指示部２１を有し、後端部２２を有さない構成としてもよい。
【００２７】
図２から図８に示すカバー本体３は、照明対象である指針本体２を収容し照明する導光体である。カバー本体３は、透光性の合成樹脂によって形成されている。透光性の合成樹脂は、例えば、ポリカーボネイト樹脂、アクリル樹脂等を含む。カバー本体３は、基部３１と、照明カバー３２と、を有する。基部３１と照明カバー３２とは、透光性の合成樹脂によって一体に形成されている。
【００２８】
図６から図８に示すように、基部３１は、円柱状に形成されている。基部３１は、モータ７０の回転軸７１の先端が挿通された状態で嵌合される貫通孔３１ａを有する。基部３１は、貫通孔３１ａに嵌合された回転軸７１と一体となって回転する。
【００２９】
照明カバー３２は、基部３１から指示方向Ｘに向かって延在した柱状に形成されている。照明カバー３２は、基部３１から指示方向Ｘに向かって離れるにしたがって徐々に厚みと幅とが縮小している。照明カバー３２は、運転者が視認可能な前面３２ｆ（表面）が円弧状、当該表面に対向する背面３２ｒ（底面）が平面状に形成されている。
【００３０】
照明カバー３２は、第１カバー３２ａと、第２カバー３２ｂと、を有する。第１カバー３２ａと第２カバー３２ｂとは、指示方向Ｘに沿って直線的に連結されている。第１カバー３２ａは、基部３１から指示方向Ｘに向かって延在するカバーである。第１カバー３２ａは、指針本体２の指示部２１を収容し、当該指示部２１の先端側２ｔへ光源６０からの光を導光して指針本体２の指示部２１を照明する。第２カバー３２ｂは、基部３１から指示方向Ｘとは反対の方向に向かって延在するカバーである。第２カバー３２ｂは、指針本体２の後端部２２を収容し、当該後端部２２の端部側へ光源６０からの光を導光して指針本体２の後端部２２を照明する。第１カバー３２ａと第２カバー３２ｂとは、光源６０からの光を導光していない状態でも、収容している指示部２１及び後端部２２を運転者等に外光によって視認させることができる。
【００３１】
第１カバー３２ａは、収容部３３ａと、傾斜部３４ａと、を有する。収容部３３ａは、指針本体２の指示部２１を収容する。収容部３３ａは、例えば、指示部２１が嵌合される嵌合溝となっている。傾斜部３４ａは、後述する被覆部４の反射部４１に対応した形状の傾斜面である。第１カバー３２ａは、収容部３３ａに収容した指示部２１の先端側２ｔへ光源６０からの光を導光可能な厚さで形成されている。第１カバー３２ａは、傾斜部３４ａ及び被覆部４の反射部４１で反射した光を指示部２１の先端側２ｔへ導光する。
【００３２】
第２カバー３２ｂは、収容部３３ｂと、傾斜部３４ｂと、を有する。収容部３３ｂは、指針本体２の後端部２２を収容する。収容部３３ｂは、例えば、後端部２２が嵌合される嵌合溝となっている。傾斜部３４ｂは、後述する被覆部４の反射部４１に対応した形状の傾斜面である。第２カバー３２ｂは、収容部３３ｂに収容した後端部２２の後端側２ｂへ光源６０からの光を導光可能な厚さで形成されている。第２カバー３２ｂは、傾斜部３４ｂ及び被覆部４の反射部４１で反射した光を後端部２２の後端側２ｂへ導光する。
【００３３】
図２に示すように、第１カバー３２ａ及び傾斜面３４ａと第２カバー３２ｂ及び傾斜面３４ｂとは、指針１の中心軸線Ｃ１から指針１の後端側２ｂにずれた位置で連結している。その結果、光源６０からの光は、傾斜面３４ａから第１カバー３２ａへ反射する光量が、傾斜面３４ｂから第２カバー３２ｂへ反射する光量よりも多くなっている。すなわち、指針１のカバー本体３は、光源６０からの光を後端部２２よりも指示部２１に多く導光させることができる。
【００３４】
本実施形態では、指針１は、図３に示すように、収容部３３ａと収容部３３ａに収容された指示部２１との間に隙間が生じている場合について説明するが、隙間を生じさせない構成としてもよい。例えば、指針１は、第１カバー３２ａ内に指示部２１をインサート成形し第１カバー３２ａと指示部２１とが一体成形されてもよい。さらに言えば、指針１は、指針本体２とカバー本体３とが一体成形されてもよい。なお、指針１は、収容部３３ｂと収容部３３ｂに収容された後端部２２との間に隙間を設けてもよいし、隙間を設けなくてもよい。
【００３５】
図２及び図５に示すように、指針本体２の指示部２１は、基部３１に近づくにしたがって細くなる傾斜面２１ａを有する。傾斜面２１ａは、指示部２１に向かう光源６０からの光のうちの傾斜面２１ａに向かった光を、第１カバー３２ａの前面３２ｆ側に向けて反射することで、指示部２１の先端側２ｔに向かわせる。すなわち、傾斜面２１ａは、第１カバー３２ａ内を導光させる光量を増加させることができる。
【００３６】
指針本体２の後端部２２は、基部３１に近づくにしたがって細くなる傾斜面２２ａを有する。傾斜面２１ａは、後端部２１に向かう光源６０からの光のうちの傾斜面２２ａに向かった光を、第２カバー３２ｂの前面３２ｆ側に向けて反射することで、後端部２１の後端側２ｂに向かわせる。すなわち、傾斜面２２ａは、第２カバー３２ｂ内を導光させる光量を増加させることができる。
【００３７】
図１及び図２に示すように、被覆部４は、カバー本体３の基部３１を覆う遮光性のキャップである。被覆部４は、回転軸７１内を導光される光源６０からの光がカバー本体３を透過して指針１の外部へ漏れることを防止する。被覆部４は、カバー本体３の中心軸線Ｃ１付近に被せられている。
【００３８】
図２及び図９に示すように、被覆部４は、光源６０からの光を照明カバー３２に向けて反射する反射部４１を有する。反射部４１は、被覆部４の内面から突出する三角柱状の凸部として形成されている。反射部４１は、被覆部４を照明カバー３２に被せられることで、傾斜部３４ａ及び傾斜部３４ｂに接触した状態で固定される。反射部４１は、回転軸７１の先端から出射した光源６０からの光を、指針本体２の指示部２１の先端側２ｔ及び後端部２２の後端側２ｂに振り分けて反射する。反射部４１の形状は、回転軸７１の先端から出射した光源６０からの光を、指針本体２の指示部２１の先端側２ｔ及び後端部２２の後端側２ｂに効率的に反射させることができる形状であればよい。例えば、反射部４１の形状は、円錐形状、四角錐状、多角錐状等の形状を含む。本実施形態では、指針１は、被覆部４の反射部４１で反射し照明カバー３２内を導光された光によって指針本体２を照明することで、間接照明を実現している。
【００３９】
指針１は、指針本体２の指示部２１の先端側２ｔに導光する光量を増加させる場合、例えば、被覆部４の反射部４１の表面に反射層を設ければよい。反射層は、例えば、光を反射する層として、金属蒸着、塗装、メッキ等によって形成すればよい。
【００４０】
本実施形態では、指針１は、被覆部４に反射部４１を設ける場合について説明するが、これに限定されない。指針１は、被覆部４に反射部４１を設けない場合、例えば、照明カバー３２の傾斜部３４ａ，傾斜部３４ｂで反射した光で照明する構成としてもよい。
【００４１】
図１、２及び５に示すように、遮光カバー５は、カバー本体３の基部３１に装着され、カバー本体３の基部３１から文字板１１への光漏れを防ぐ。遮光カバー５は、不透過性部材によって円盤状に形成されている。遮光カバー５は、円盤状に形成されることで、指針１の背面側で、モータ７０の回転軸７１から文字板１１に光が漏れても、遮光カバー５によって覆い隠すことができる。図４に示すように、遮光カバー５は、カバー本体３の基部３１を装着する挿通孔５１を有する。遮光カバー５は、挿通孔５１に基部３１が挿入された状態でカバー本体３が固定され、当該カバー本体３の基部３１を覆うように被覆部４が装着されている。
【００４２】
光源６０は、図２に示すように、回転軸７１に対して指針１の装着側とは反対側に、かつ回転軸７１と同軸上に配置されている。つまり、回転軸７１は、指針１と光源６０との間に配置されている。光源６０は、基板８０から供給される電力によって発光し、回転軸７１の下端面に対して光を照射する。光源６０は、例えば、ＬＥＤ（Ｌｉｇｈｔ  Ｅｍｉｔｔｉｎｇ  Ｄｉｏｄｅ；発光ダイオード）、バルブ等を用いることができる。
【００４３】
モータ７０は、基板８０に固定されている。基板８０は、文字板１１に対して背面側に配置されており、文字板１１と対向している。基板８０は、ケース等を介して車体に対して固定されている。文字板１１は、貫通孔１１ｄを有する。モータ７０は、回転軸７１と貫通孔１１ｄとが同軸上に位置するように配置されている。モータ７０は、回転軸７１及びモータ本体７２を有する。モータ本体７２は、基板８０から供給される電力によって回転軸７１を回転させる。
【００４４】
本実施形態の回転軸７１は、透光性部材によって形成された中実で略円筒形状を有するもので構成されている。回転軸７１は、光源６０からの光が入射すると、その光を先端へ導光する。回転軸７１は、内部の外周面における外界（空気）との界面部分において、光源６０からの光の大部分が全反射しながら先端まで導光するように構成している。回転軸７１は、内部を導光した光を指針１が装着された先端から被覆部４内に出射する。なお、回転軸７１は、例えば、中空状の部材によって構成し、中空部分によって光源６０からの光を導光してもよい。
【００４５】
次に、本実施形態の車両表示装置１００及び指針１の作用について、図２を参照しながら説明する。車両表示装置１００は、光源６０を点灯すると、その光がモータ７０の回転軸７１の内部を導光され、回転軸７１の先端から指針１の被覆部４内に光が出射される。指針１は、回転軸７１の先端から指針１の被覆部４内に光が出射されると、当該光を被覆部４の反射部４１と照明カバー３２の傾斜部３４ａ及び傾斜部３４ｂとが照明光Ｌ１と照明光Ｌ２とに振り分ける。照明光Ｌ１は、指針本体２の指示部２１を照明する光である。照明光Ｌ２は、指針本体２の後端部２２を照明する光である。
【００４６】
指針１は、照明カバー３２の第１カバー３２ａ内を指示部２１の先端側２ｔに向けて照明光Ｌ１を導光させる。指針１は、照明光Ｌ１のうち、第１カバー３２ａから指示部２１に向かって出射された光によって、第１カバー３２ａに収容された指示部２１の表面を照明する。そして、指針１は、指示部２１の表面で反射した光が第１カバー３２ａから運転者側に向かうことで、運転者等に指示部２１の質感、文様及び形状を視認させる。
【００４７】
指針１は、照明カバー３２の第２カバー３２ｂ内を後端部２２の後端側２ｂに向けて照明光Ｌ２を導光させる。指針１は、照明光Ｌ２のうち、第２カバー３２ｂから後端部２２に向かって出射された光によって、第２カバー３２ｂに収容された後端部２２の表面を照明する。そして、指針１は、後端部２２の表面で反射した光が第２カバー３２ｂから運転者側に向かうことで、運転者等に後端部２２の質感、文様及び形状を視認させる。
【００４８】
車両表示装置１００は、指針１を間接照明した状態で、車両が走行を開始すると、車両の速度に応じた指示位置まで当該指針１を回転駆動する。すなわち、車両表示装置１００は、モータ７０の回転軸７１を車両の速度に合わせて回転させることで、指針１が車両の速度を指示する。その結果、車両表示装置１００は、間接照明された指針１によって車両の現在速度を運転者等に知らせることができる。
【００４９】
以上で説明した指針１は、指針本体２を照明カバー３２に収容し、当該照明カバー３２によって指針本体２を照明することができる。指針１は、指針本体２を自発光させる必要がないので、指針本体２を不透過の様々な材料で形成することができる。指針１は、従来の自発光指針のように、光の帯として表すのではなく、指針本体２を実体で表すことができる。よって、指針１は、指針本体２の材質、文様、形状等を照明カバー３２によって明確に照らし出すことで、斬新感や高級感を演出可能となり、意匠性を向上させることができる。指針１は、間接照明するための光を照明カバー３２によって指針本体２の表面を照明することができるので、間接照明によって指針１の周囲を照らしてしまうことを阻止することができる。さらに、指針１は、指針１が触れる範囲で間接照明を行うための構造を指針１の周囲に設ける必要がないので、車両表示装置１００の構成の簡単化に貢献することができる。
【００５０】
指針１は、被覆部４に反射部４１を設け、反射部４１で反射した間接光を照明カバー３２に導光させることで、指針本体２を間接照明することができる。よって、指針１は、指針本体２を間接照明によって運転者等に視認させることで、指針１の輝度を抑制し、かつ斬新な演出をすることができる。
【００５１】
指針１は、遮光カバー５で文字板１１への光の漏れを抑制することができる。よって、指針１は、指針本体２の照明を際立たせることで、斬新感や高級感の演出効果を向上させることができる。
【００５２】
指針１は、先端側２ｔに向かって細くなる円錐状に指針本体２を形成しても、照明カバー３２が導光した光によって指針本体２の先端側２ｔまで照明できる。よって、指針１は、指針本体２の先端までを照明するための光量を抑制することができる。
【００５３】
車両表示装置１００は、指針１を用いて、指針本体２の材質、文様、形状等を照明カバー３２によって明確に照らし出して際立たせることで、斬新感や高級感を演出可能となり、意匠性を向上させることができる。
【００５４】
また、車両表示装置１００は、被覆部４の反射部４１によって指針本体２を間接照明する場合、１つの光源６０のみを備えればよいので、例えば、指針１を間接照明するための間接照明用光源を文字板１１の周辺に設ける必要もなくなる。よって、車両表示装置１００は、指針１を用いるだけで、装置構成を複雑化させることなく、指針１の間接照明を実現することができる。
【００５５】
なお、上述した本発明の実施形態に係る指針１は、上述した実施形態に限定されず、特許請求の範囲に記載された範囲で種々の変更が可能である。
【００５６】
［実施形態の第１変形例］
実施形態の第１変形例について説明する。図１０は、第１変形例に係る指針１の斜視図である。図１１は、図１０の指針本体２が装着されたカバー本体３の背面を示す図である。以下の説明において、同様の構成要素について同一の符号を付すことがある。さらに、重複する説明は省略することがある。
【００５７】
図１０に示す指針１は、指針本体２と、カバー本体３と、被覆部４と、遮光カバー５と、を有する。第１変形例に係る指針１は、指針本体２の形状のみが上記実施形態に係る指針１とは異なっている。
【００５８】
指針本体２は、指示部２１と、後端部２２と、有する。指示部２１は、指示方向Ｘに沿って並べられた複数のセグメント２１ｓを有する。複数のセグメント２１ｓは、指針１の指示方向Ｘに向かって細くなる１つの円錐状部材を５つに分割したものである。複数のセグメント２１ｓは、隣り合うセグメント２１ｓの間に隙間を設けた状態で、照明カバー３２の第１カバー３２ａの収容部３３ａに収容されている。複数のセグメント２１ｓのそれぞれは、傾斜部２１ｓａを有する。傾斜部２１ｓａは、第１カバー３２ａから第１カバー３２ａの背面側３２ｒに向かう光を第１カバー３２ａの前面側３２ｆに反射する。すなわち、傾斜部２１ｓａは、複数のセグメント２１ｓ同士の間に形成された隙間から第１カバー３２ａの下方の文字板１１へ漏れる光を抑制している。なお、複数のセグメント２１ｓは、表面に文様を施したり、表面を異なる色としたりすることができる。
【００５９】
次に、実施形態の第１変形例に係る指針１の作用について説明する。指針１は、回転軸７１の先端から指針１の被覆部４内に光が出射されると、当該光を被覆部４の反射部４１及び照明カバー３２の傾斜部３４ａ，傾斜部３４ｂが指示部２１側と後端部２２側とに振り分ける。指示部２１は、指針１の照明カバー３２の第１カバー３２ａ内を指示部２１の先端側２ｔに向けて導光する。すなわち、指針１は、照明カバー３２の第１カバー３２ａ内を指針本体２の先端側２ｔに向けて導光した光によって複数のセグメント２１ｓを間接照明する。その結果、指針１は、指示方向Ｘに沿って並べられた複数のセグメント２１ｓを間接照明によって運転者等に視認させることができる。なお、指針１の後端部２２の作用は、上記の実施形態と同一である。
【００６０】
以上で説明した第１変形例に係る指針１は、照明カバー３２に複数のセグメント２１ｓを収容し、当該照明カバー３２によって複数のセグメント２１ｓを照明することで、複数のセグメント２１ｓを指針本体２として運転者等に視認させることができる。よって、指針１は、複数のセグメント２１ｓを有する指針本体２という斬新な演出が可能となり、意匠性をさらに向上させることができる。
【００６１】
［実施形態の第２変形例］
実施形態の第２変形例について説明する。図１２は、第２変形例に係る指針の斜視図である。図１２に示す指針１は、指針本体２と、カバー本体３と、被覆部４と、遮光カバー５と、を有する。第２変形例に係る指針１は、指針本体２の形状のみが上記実施形態に係る指針１とは異なっている。
【００６２】
指針本体２は、指示部２１ｘと、後端部２２ｘと、を有する。指示部２１ｘ及び後端部２２ｘは、有色の不透明性の弾性部材等によって螺旋状に形成されている。なお、指示部２１ｘ及び後端部２２ｘは、例えば、不透明性の合成樹脂、半透明性の弾性部材または合成樹脂等によって形成してもよい。指示部２１ｘは、先端側２ｔに向かって細くなっている。指示部２１ｘは、照明カバー３２の第１カバー３２ａの収容部３３ａに収容されている。後端部２２ｘは、照明カバー３２の第２カバー３２ｂの収容部３３ｂに収容されている。なお、指示部２１ｘ及び後端部２２ｘの少なくとも一方は、表面に文様を施してもよい。
【００６３】
第２変形例では、指針１は、指示部２１ｘ及び後端部２２ｘを収容部３３ａ及び収容部３３ｂに収容する場合について説明するが、これに限定されない。例えば、指針１は、第１カバー３２ａ及び第２カバー３２ｂに収容部３３ａ及び収容部３３ｂを設けずに、指示部２１ｘ及び後端部２２ｘを第１カバー３２ａ及び第２カバー３２ｂの内部にインサート成形する構成とすることができる。
【００６４】
次に、実施形態の第２変形例に係る指針１の作用について説明する。指針１は、回転軸７１の先端から指針１の被覆部４内に光が出射されると、当該光を被覆部４の反射部４１と照明カバー３２の傾斜部３４ａ及び傾斜部３４ｂとが指示部２１ｘ側と後端部２２ｘ側とに振り分ける。指示部２１ｘは、照明カバー３２の第１カバー３２ａ内を指示部２１の先端側２ｔに向けて導光する。すなわち、指針１は、照明カバー３２の第１カバー３２ａ内を導光した光によって螺旋状の指示部２１ｘを間接照明する。後端部２２ｘは、照明カバー３２の第２カバー３２ｂ内を後端部２２の後端側２ｂに向けて導光する。すなわち、指針１は、照明カバー３２の第２カバー３２ｂ内を導光した光によって螺旋状の後端部２２ｘを間接照明する。
【００６５】
以上で説明した第２変形例に係る指針１は、照明カバー３２に螺旋状の指針本体２を収容し、当該照明カバー３２によって指針本体２を照明することで、螺旋状の指針本体２を運転者等に視認させることができる。よって、指針１は、螺旋状の指針本体２で斬新な演出が可能となり、意匠性をさらに向上させることができる。
【００６６】
上記の実施形態及び変形例に開示された内容は、適宜組み合わせて実行することができる。
【符号の説明】
【００６７】
１  指針（車両表示装置用指針）
２  指針本体
２ｔ  先端側
２ｂ  後端側
３  カバー本体
４  被覆部
５  遮光カバー
１１  文字板
２１，２１ｘ  指示部
２１ｓ  セグメント
２２  後端部
３１  基部
３２  照明カバー
３２ａ  第１カバー
３２ｂ  第２カバー
３３ａ，３３ｂ  収容部
３４ａ，３４ｂ  傾斜部
４１  反射部
６０  光源
７０  モータ
７１  回転軸
７２  モータ本体
８０  基板
１００  車両表示装置
Ｘ  指示方向
【図１】
2019190933.tif 000003
【図２】
2019190933.tif 000004
【図３】
2019190933.tif 000005
【図４】
2019190933.tif 000006
【図５】
2019190933.tif 000007
【図６】
2019190933.tif 000008
【図７】
2019190933.tif 000009
【図８】
2019190933.tif 000010
【図９】
2019190933.tif 000011
【図１０】
2019190933.tif 000012
【図１１】
2019190933.tif 000013
【図１２】
2019190933.tif 000014